(57)【要約】【課題】電子番組表（ＥＰＧ）から番組を指定して予約を設定する際、外部機器を操作するためのリモコンのボタンを用いて予約設定を指示することで、簡単かつ直感的な操作を可能とするデジタル放送受信機及び録画予約設定方法を提供する。【解決手段】リモートコントロール送信機１９からの操作指示を受信し、受信した操作指示に基づいて、接続された外部録画機器１５をコントロールし、電子番組表を表示することが可能であるデジタル放送受信機において、電子番組表を表示しているときにリモートコントロール送信機１９の録画指示ボタンの操作による指示を受信すると、外部録画機器１５を用いた録画の開始の代わりに、表示中の電子番組表のカーソル位置の番組の録画予約を設定する。リモートコントロール送信機１９による操作対象とする外部録画機器１５がＨＤＭＩ接続されたものである。【選択図】図１
2009038577.tif 000002
【特許請求の範囲】
【請求項１】
リモートコントロール送信機からの操作指示を受信し、受信した操作指示に基づいて、接続された外部録画機器をコントロールし、電子番組表を表示することが可能であるデジタル放送受信機において、
前記電子番組表を表示しているときに前記リモートコントロール送信機の録画指示ボタンの操作による指示を受信すると、前記外部録画機器を用いた録画の開始の代わりに、表示中の電子番組表のカーソル位置の番組の録画予約を設定することを特徴とするデジタル放送受信機。
【請求項２】
請求項１記載のデジタル放送受信機において、
前記リモートコントロール送信機による操作対象とする前記外部録画機器がＨＤＭＩ接続又はｉ．ＬＩＮＫ接続或いはＨＤＭＩ接続及びｉ．ＬＩＮＫ接続されたものであることを特徴とするデジタル放送受信機。
【請求項３】
請求項１記載のデジタル放送受信機において、
前記リモートコントロール送信機による操作対象が受信機内蔵の録画メディアであり、表示中の電子番組表における前記録画指示ボタンの操作による指示を受信すると、表示中の電子番組表のカーソル位置の番組の内蔵録画メディアへの録画予約を設定することを特徴とするデジタル放送受信機。
【請求項４】
請求項１〜請求項３のいずれか１項に記載のデジタル放送受信機において、
前記リモートコントロール送信機による操作により、表示中の電子番組表の現在放送中の番組を選択した場合には、その番組を選局し、番組終了まで録画を続けることを特徴とするデジタル放送受信機。
【請求項５】
請求項１〜請求項４のいずれか１項に記載のデジタル放送受信機において、
前記リモートコントロール送信機からの指示を受けて操作対象機器を切り替えることが可能であり、録画に用いる機器は、予約設定時に前記録画指示ボタンで操作する設定となっていた機器であることを特徴とするデジタル放送受信機。
【請求項６】
請求項１〜請求項４のいずれか１項に記載のデジタル放送受信機において、
前記リモートコントロール送信機からの指示を受けて操作対象機器を切り替えることが可能であり、録画に用いる機器は、予約実行時に前記録画指示ボタンで操作する設定となっていた機器であることを特徴とするデジタル放送受信機。
【請求項７】
請求項１〜請求項４のいずれか１項に記載のデジタル放送受信機において、
前記リモートコントロール送信機からの指示を受けて操作対象機器を切り替えることが可能であり、前記リモートコントロール送信機で操作する機器とは独立して予約に用いる機器を設定することが可能であることを特徴とするデジタル放送受信機。
【請求項８】
リモートコントロール送信機からの操作指示を受信し、受信した操作指示に基づいて、接続された外部録画機器をコントロールし、電子番組表を表示することが可能であるデジタル放送受信機の録画予約を設定する方法であって、
前記デジタル放送受信機が電子番組表を表示しているときに前記リモートコントロール送信機の録画指示ボタンの操作により、録画予約の指示を前記デジタル放送受信機に送信し、前記デジタル放送受信機は前記録画予約の指示を受信し、前記外部録画機器を用いた録画の開始の代わりに、表示中の電子番組表のカーソル位置の番組の録画予約を設定することを特徴とする録画予約設定方法。
【発明の詳細な説明】
【技術分野】
【０００１】
本発明は、デジタル放送受信機及び録画予約設定方法に関し、特にデジタル放送受信機のリモートコントロール送信機（以下、リモコンともいう）による録画予約設定方法に関するものである。
【背景技術】
【０００２】
近年の放送のデジタル化と録画機器の世代交代に伴い、テレビ番組の録画スタイルは大きく変化している。デジタル放送受信機では、ｉ．ＬＩＮＫ（ＩＥＥＥ１３９４）接続、あるいはＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続した外部機器をコントロールして録画を行なうことが可能であるものが製品化されている。また、受信機自体にハードディスクドライブなどの記録メディアを内蔵し、それを用いて録画を行なう機器も製品化されている。
【０００３】
このような状況のもとで、デジタル放送受信機のリモコンには外部録画機器あるいは内蔵録画メディアの操作を行なうためのボタンを有し、それを用いて再生、停止、録画などのコントロールを行うことができるものがある。
【０００４】
また、まだ放送されていない番組の録画動作を指示する、いわゆる録画予約は、電子番組表を用いて将来の番組を指定することによって行うのが一般的である。
【発明の開示】
【発明が解決しようとする課題】
【０００５】
一般に録画予約を行なうためにはリモコンを用いて、予約の種類（視聴予約、録画予約）か、録画予約の場合は録画に用いる機器の指定などの操作を行なう必要があり、操作に用いるリモコン上のボタンが多いこともあって煩雑な手順が必要になりがちである。また、従来、ＥＰＧを用いた録画予約では、対象となる番組を指定、予約の種別を指定、予約の詳細を指定する等の段階をふんだ手続きを必要としていた。
【０００６】
本発明では、ｉ．ＬＩＮＫ、ＨＤＭＩなどによって接続した外部録画機器あるいは内蔵録画メディアをコントロールして録画を行なうことができるデジタル放送受信機において、電子番組表（ＥＰＧ）から番組を指定して予約を設定する際、外部機器を操作するためのリモコンのボタンを用いて予約設定を指示することで、簡単かつ直感的な操作を可能とするデジタル放送受信機及び録画予約設定方法を提供する。
【課題を解決するための手段】
【０００７】
本発明では、デジタル受信機は接続した外部録画機器あるいは内蔵録画メディアをコントロールするためのボタンを有する。これには再生、停止、早送り、巻き戻し等の、一般に録画機器のコントロールに必要なボタンが含まれるが、本発明では電子番組表の表示中に録画ボタンを押した場合、外部機器を用いた録画予約と認識して処理を進めることによって録画予約のための操作を簡略化する。
【０００８】
すなわち、本発明は、リモートコントロール送信機からの操作指示を受信し、受信した操作指示に基づいて、接続された外部録画機器をコントロールし、電子番組表を表示することが可能であるデジタル放送受信機において、前記電子番組表を表示しているときに前記リモートコントロール送信機の録画指示ボタンの操作による指示を受信すると、前記外部録画機器を用いた録画の開始の代わりに、表示中の電子番組表のカーソル位置の番組の録画予約を設定するデジタル放送受信機である。
【０００９】
また、本発明は、前記リモートコントロール送信機による操作対象とする前記外部録画機器がＨＤＭＩ接続又はｉ．ＬＩＮＫ接続或いはＨＤＭＩ接続及びｉ．ＬＩＮＫ接続されたものであるデジタル放送受信機である。
【００１０】
そして、本発明は、前記リモートコントロール送信機による操作対象が受信機内蔵の録画メディアであり、表示中の電子番組表における前記録画指示ボタンの操作による指示を受信すると、表示中の電子番組表のカーソル位置の番組の内蔵録画メディアへの録画予約を設定するデジタル放送受信機である。
【００１１】
更に、本発明は、前記リモートコントロール送信機による操作により、表示中の電子番組表の現在放送中の番組を選択した場合には、その番組を選局し、番組終了まで録画を続けるデジタル放送受信機である。
【００１２】
また、本発明は、前記リモートコントロール送信機からの指示を受けて操作対象機器を切り替えることが可能であり、録画に用いる機器は、予約設定時に前記録画指示ボタンで操作する設定となっていた機器であるデジタル放送受信機である。
【００１３】
そして、本発明は、前記リモートコントロール送信機からの指示を受けて操作対象機器を切り替えることが可能であり、録画に用いる機器は、予約実行時に前記録画指示ボタンで操作する設定となっていた機器であるデジタル放送受信機である。
【００１４】
更に、本発明は、前記リモートコントロール送信機からの指示を受けて操作対象機器を切り替えることが可能であり、前記リモートコントロール送信機で操作する機器とは独立して予約に用いる機器を設定することが可能であるデジタル放送受信機である。
【００１５】
また、本発明は、リモートコントロール送信機からの操作指示を受信し、受信した操作指示に基づいて、接続された外部録画機器をコントロールし、電子番組表を表示することが可能であるデジタル放送受信機の録画予約を設定する方法であって、前記デジタル放送受信機が電子番組表を表示しているときに前記リモートコントロール送信機の録画指示ボタンの操作により、録画予約の指示を前記デジタル放送受信機に送信し、前記デジタル放送受信機は前記録画予約の指示を受信し、前記外部録画機器を用いた録画の開始の代わりに、表示中の電子番組表のカーソル位置の番組の録画予約を設定する録画予約設定方法である。
【発明の効果】
【００１６】
本発明によれば、リモコンの外部録画機器操作ボタンを押したときの動作として、電子番組表から録画ボタンを押した場合に録画予約を登録することが可能となる。そして、簡単な操作で録画予約を設定することが可能となり、利便性が向上する。
【発明を実施するための最良の形態】
【００１７】
本発明を実施するための最良の形態を説明する。
以下、本発明のデジタル放送受信機及び録画予約設定方法の実施例について、図面を用いて説明する。図１は、地上デジタル放送、ＢＳ／ＣＳ放送を受信可能で、さらにｉ．ＬＩＮＫ端子、ＨＤＭＩ端子を備えたテレビジョン受信機において、本発明を適用した例である。
【００１８】
実施例を説明する。図１において、地上波アンテナ１から受信された地上波デジタル放送電波、衛星アンテナ３から受信されたＢＳ／ＣＳ放送電波はそれぞれ地上デジタルチューナー２、ＢＳ／ＣＳチューナー４により選局され、デマルチプレクスサ（ＤＥＭＵＸ）７に送られる。デマルチプレクスサ７は、多重化されたデータを各チャンネルごとに並び替え、ＣＰＵ９から選局指定されたチャンネルだけを取り出し、映像部分のパケットからなるビデオストリームをＭＰＥＧデコーダー８に送出し、ＭＰＥＧデコーダー８は映像信号をセレクタ１３に入力する。
【００１９】
セレクタ１３にはＨＤＭＩインターフェース１４を介した外部ＨＤＭＩ録画機器１５からの映像信号が入力され、これをＣＰＵ９によってコントロールすることで出力する映像信号を選択する。
【００２０】
指定手段であるリモコン１９に設けられたキーが押下されると、ＣＰＵ９は、受光部１８が受け取った信号を元に、押されたキーと状況を判断して対応した処理を行い、必要に応じてＯＳＤ画像を生成してＶＲＡＭ１０に書き込む。
【００２１】
表示手段である画面合成回路１１は、セレクタ１３から出力される画像にＯＳＤ画像を重畳し、それをモニタ１２に表示する。
【００２２】
ＤＲＡＭ６は、受信機の動作中に、動作を行なうためのプログラムおよびデータを保持している。また、電源を切ってまた起動した時に以前のデータを保持／参照するためにフラッシュメモリ５が外部記憶として用いられる。
【００２３】
また、この受信機は、ＣＰＵ９とデマルチプレクスサ７に接続されたＩＥＥＥ１３９４インターフェース１６を介して外部ｉ．ＬＩＮＫ録画機器１７をコントロールすることが可能であり、バス上に接続された他の外部ｉ．ＬＩＮＫ録画機器１７に対してＡＶ／Ｃコマンドを発行することにより、機器のステータス（電源の入／切、動作状態）を取得すること、ならびに録画、再生等の機器のコントロールを行なうことが可能である。
【００２４】
さらに、この受信機はＨＤＭＩインターフェース１４に接続した外部ＨＤＭＩ機器１７を、ＣＥＣ（Ｃｏｎｓｕｍｅｒ  Ｅｌｅｃｔｒｏｎｉｃｓ  Ｃｏｎｔｒｏｌ，家電制御プロトコル）によって制御することが可能である。
【００２５】
リモコンには、図２に示すように、受信機そのものを操作するための電源、選局、音量調節、電子番組表の表示などのボタンのほか、接続した外部録画機器をコントロールするための再生、停止、早送り、巻き戻し、録画などのボタンが用意されている。
【００２６】
本実施例では、モニタ１２上に表示されるＧＵＩに対して、利用者がリモコン１９による指示を与え、これをＣＰＵ９で処理した結果をさらにモニタ１２上に表示することによって、利用者の操作によってモニタ１２に表示される画像は変化していくので、利用者が受信機に対して対話的に指示を与えることを実現している。
【００２７】
また、録画予約の設定は一般に電子番組表から対話的に行われ、利用者が指定した番組の開始時刻、終了時刻、サービス、録画保護設定を含むその他の録画設定を受信機がフラッシュメモリ５上に保持する
【００２８】
設定された予約の情報は受信機の電源が投入された後にフラッシュメモリから読み出され、ＤＲＡＭ６上に保持される。あるいは通常動作中、待機動作中は、ＤＲＡＭ６上に保持され続ける。
【００２９】
録画予約の実行は、受信機が設定された（一般に複数の）予約のうちで、開始時刻がもっとも現在に近いものの開始時刻と時間計測装置から得られる現在時刻とを比較することによって行われる。
【００３０】
実際の録画を行う動作は、たとえば、ｉ．ＬＩＮＫ録画の場合であれば、録画開始のために番組開始時刻の直前に該当するサービスに選局動作を行い、録画機器の電源を入れ、録画・一時停止状態→録画状態とする、録画終了のためには番組終了時刻には録画機器を停止し、電源を切り、さらにＤＲＡＭ６上およびフラッシュメモリ５上の予約設定を消去するといったものである。
【００３１】
同様にＨＤＭＩ録画機器の場合は、録画開始時刻の直前に外部録画機器の電源を投入し、選局指示を行い、録画状態とし、録画終了のためには番組終了時刻には録画機器を停止し、電源を切り、さらにＤＲＡＭ６上およびフラッシュメモリ５上の予約設定を消去するといったものである。
【００３２】
続いて、リモコンの外部録画機器操作ボタンが押された時の動作について説明する。
ユーザーがリモコン１９で指示したコマンドは受光部１８で受信され、何のボタンが押されたかをＣＰＵ９が判定する。リモコン１９による指示が録画機器操作ボタンを押したものであると判定され、かつ外部録画機器操作ボタンが、本実施例の予約設定などのような特別な意味を持たないが、外部録画機器に対するユーザー操作として有効な状況である場合には、ｉ．ＬＩＮＫ機器の場合にはＡＶ／Ｃコマンドを、ＨＤＭＩ機器の場合にはＣＥＣを発行して処理を終了する。たとえばテレビ視聴画面で録画ボタンを押した場合は、その番組の録画を開始する（図３（１）→図３（２）−Ａ）。
【００３３】
表示中の画面が電子番組表であり、かつ押されたボタンが録画ボタンである場合には、電子番組表で現在カーソルがある位置の番組の情報を取得し、選局に必要な情報、予約動作に必要な開始時間、終了時間などを得て、録画予約を設定する（図３（１’）→（２）−Ｂ）。
【００３４】
以上の動作のフローチャートを示したものが図４である。
このとき、カーソルがある位置の番組の放送が既に開始されている場合には、即座に録画動作を開始してもよい。
【００３５】
また、録画に用いる機器は、録画予約設定時のリモコン操作対象の機器、録画予約実行時のリモコン操作対象の機器、リモコン操作の対象とは別に設定される録画予約の対象機器のいずれであってもよい。
【００３６】
以上はデジタル受信機に接続した外部録画機器を用いた録画予約設定に関して記述したものであるが、受信機に内蔵したハードディスクドライブなどの録画メディアに関しても、録画ボタンを押下した場合の動作を電子番組表表示中は録画予約とする処理は、同様に実現することが可能である。
【図面の簡単な説明】
【００３７】
【図１】実施例のデジタル放送受信機の構成説明図。
【図２】実施例で用いられるリモコンの説明図。
【図３】実施例のデジタル放送受信機における操作手順の説明図。
【図４】実施例のデジタル放送受信機におけるリモコン操作時のフローチャートの説明図。
【符号の説明】
【００３８】
１  地上波アンテナ
２  地上デジタルチューナー
３  衛星アンテナ
４  ＢＳ／ＣＳチューナー
５  フラッシュメモリ
６  ＤＲＡＭ
７  ＤＥＭＵＸ
８  ＭＰＥＧデコーダー
９  ＣＰＵ
１０  ＶＲＡＭ
１１  画面合成回路
１２  モニタ
１３  セレクタ
１４  ＨＤＭＩインターフェース
１５  外部ＨＤＭＩ機器
１６  ＩＥＥＥ１３９４インターフェース
１７  外部ｉ．ＬＩＮＫ機器
１８  リモコン受光部
１９  リモコン
【図１】
2009038577.tif 000003
【図２】
2009038577.tif 000004
【図３】
2009038577.tif 000005
【図４】
2009038577.tif 000006